(57)【要約】      （修正有）【課題】表示パネルを直接振動させて音響を発生させる形態の表示装置を提供する。【解決手段】アクチュエータ固定装置１０００は、第１アクチュエータ２００を支持する第１支持部１１２０と、第２アクチュエータ２００’を支持する第２支持部１２２０と、第１支持部と第２支持部と隣接して配置される補強リブ部と、カバーボトムとの固定のための複数の取付孔１３１０〜１３４０を含む。カバーボトム３００に固定されるペムナット３３０をさらに含み、アクチュエータ固定装置１０００は取付孔に挿入される固定ボルト３２０によりペムナットに固定する。【選択図】図３
2018110369.tif 000002
【特許請求の範囲】
【請求項１】
映像を表示する表示パネルと、
前記表示パネルをカバーするカバーボトムと、
前記カバーボトムにより支持され、前記表示パネルを振動させて音響を発生する複数の音響発生アクチュエータであって、前記音響発生アクチュエータのうちの少なくとも２つの音響発生アクチュエータは、互いに隣接している、複数の音響発生アクチュエータと、
を含むことを特徴とする、表示装置。
【請求項２】
前記少なくとも２つの音響発生アクチュエータを互いに隣接するように支持するアクチュエータ固定装置をさらに含むことを特徴とする、請求項１に記載の表示装置。
【請求項３】
前記アクチュエータ固定装置は、前記音響発生アクチュエータを前記カバーボトムに固定することを特徴とする、請求項２に記載の表示装置。
【請求項４】
前記アクチュエータ固定装置は、
第１アクチュエータを支持する第１支持部と、
第２アクチュエータを支持する第２支持部と、
前記第１支持部と第２支持部と隣接する補強リブ部と、
を含むことを特徴とする、請求項３に記載の表示装置。
【請求項５】
前記補強リブ部は、
前記第１支持部と第２支持部の外周から縦方向に延びる第１縦方向リブ部と、
前記第１支持部と第２支持部を縦方向に連結する第２縦方向リブ部と、
前記第２縦方向リブ部に対して垂直に延びる横方向リブ部と、
を含むことを特徴とする、請求項４に記載の表示装置。
【請求項６】
前記補強リブ部は前記表示パネルの一側に対して斜めに延びる１つ以上の斜線リブ部を含むことを特徴とする、請求項４に記載の表示装置。
【請求項７】
前記第１支持部と第２支持部は各々第１アクチュエータと第２アクチュエータの後面の一部と側面を支持し、
前記第１アクチュエータと第２アクチュエータの後面中央部は、前記アクチュエータ固定装置の外部に露出することを特徴とする、請求項５に記載の表示装置。
【請求項８】
前記第１支持部と第２支持部との間の距離は、前記第１アクチュエータまたは第２アクチュエータの大きさより小さいことを特徴とする、請求項５に記載の表示装置。
【請求項９】
前記第１アクチュエータと第２アクチュエータとの間の距離は、前記第１アクチュエータまたは第２アクチュエータの大きさより小さいことを特徴とする、請求項１に記載の表示装置。
【請求項１０】
前記カバーボトムに固定されるセルフ−クリンチングナットをさらに含み、前記アクチュエータ固定装置は前記アクチュエータ固定装置を前記カバーボトムに固定するための複数の取付孔をさらに含み、前記アクチュエータ固定装置は前記取付孔に挿入される固定ボルトにより前記セルフ−クリンチングナットに固定されることを特徴とする、請求項５に記載の表示装置。
【請求項１１】
前記音響発生アクチュエータは、
下部プレートと、
前記下部プレート上にあるマグネットと、
前記下部プレートの中央にあるセンターポールと、
前記センターポールの周囲を囲むボビンと、
前記ボビンの外周に巻き取られたコイルと、
を含むことを特徴とする、請求項１に記載の表示装置。
【請求項１２】
映像を表示する表示パネルと、
前記表示パネルを振動させて音響を発生する複数の音響発生アクチュエータと、
前記表示パネルをカバーするカバーボトムと、
前記複数の音響発生アクチュエータのうちの少なくとも２つの音響発生アクチュエータを前記カバーボトムに固定するためのアクチュエータ固定装置と、
を含むことを特徴とする、装置。
【請求項１３】
前記少なくとも２つの音響発生アクチュエータは、少なくとも前記表示パネルと前記アクチュエータ固定装置との間に部分的に配置されることを特徴とする、請求項１２に記載の装置。
【請求項１４】
前記アクチュエータ固定装置は、
第１アクチュエータを支持する第１支持部と、
第２アクチュエータを支持する第２支持部と、
前記第１支持部と第２支持部と隣接する補強リブ部と、
を含むことを特徴とする、請求項１２に記載の装置。
【請求項１５】
前記補強リブ部は、前記第１支持部と第２支持部の外周から縦方向に延びる第１縦方向リブ部と、
前記第１支持部と第２支持部を縦方向に連結する第２縦方向リブ部と、
前記第２縦方向リブ部に対して垂直に延びる横方向リブ部と、
を含むことを特徴とする、請求項１４に記載の装置。
【請求項１６】
前記アクチュエータ固定装置は、前記表示パネルの一側に対して斜めに延びる１つ以上の斜線リブ部を含む補強リブ部を含むことを特徴とする、請求項１２に記載の装置。
【請求項１７】
前記第１支持部と第２支持部は、各々第１アクチュエータと第２アクチュエータの後面の一部と側面を支持し、
前記第１アクチュエータと第２アクチュエータの後面中央部は、前記アクチュエータ固定装置の外部に露出することを特徴とする、請求項１４に記載の装置。
【請求項１８】
前記第１支持部と第２支持部との間の距離は、前記第１アクチュエータまたは第２アクチュエータの大きさより小さいことを特徴とする、請求項１４に記載の装置。
【請求項１９】
前記アクチュエータ固定装置は、前記アクチュエータ固定装置を前記カバーボトムに固定するための複数の取付孔をさらに含むことを特徴とする、請求項１３に記載の装置。
【請求項２０】
第１アクチュエータと第２アクチュエータとの間の距離は、前記第１アクチュエータまたは第２アクチュエータの大きさより小さいことを特徴とする、請求項１３に記載の装置。
【請求項２１】
映像を表示する表示パネルと、
前記表示パネルを振動させて音響を発生する複数の音響発生アクチュエータと、
前記複数の音響発生アクチュエータのうちの少なくとも２つの音響発生アクチュエータの間の距離を維持するための補強リブ部と、
を含むことを特徴とする、装置。
【請求項２２】
前記補強リブ部は、
縦方向に延びる第１縦方向リブ部と、
縦方向の第２縦方向リブ部と、
前記第２縦方向リブ部に対して垂直に延びる横方向リブ部と、
を含むことを特徴とする、請求項２１に記載の装置。
【請求項２３】
前記補強リブ部は、前記表示パネルの一側に対して斜めに延びる１つ以上の斜線リブ部を含むことを特徴とする、請求項２１に記載の装置。
【請求項２４】
映像を表示する表示パネルと、
前記表示パネルを振動させて音響を発生し、少なくとも第１音響発生アクチュエータ及び第２音響発生アクチュエータを含む多数の音響発生アクチュエータと、を含み、
前記第１音響発生アクチュエータと第２音響発生アクチュエータとの間の距離は前記第１音響発生アクチュエータの直径または第２音響発生アクチュエータの直径より小さいことを特徴とする、装置。
【請求項２５】
前記第１音響発生アクチュエータと第２音響発生アクチュエータとの間の距離は２８ｍｍ以下であることを特徴とする、請求項２４に記載の装置。
【請求項２６】
前記第１音響発生アクチュエータと前記第２音響発生アクチュエータは、前記表示パネルを振動させるための同一の制御信号を受信することを特徴とする、請求項２４に記載の装置。
【請求項２７】
前記第１音響発生アクチュエータと第２音響発生アクチュエータとの間の距離を維持するための補強リブ部をさらに含むことを特徴とする、請求項２４に記載の装置。
【請求項２８】
前記補強リブ部は、
縦方向に延びる第１縦方向リブ部と、
縦方向の第２縦方向リブ部と、
前記第２縦方向リブ部に対して垂直に延びる横方向リブ部と、
を含むことを特徴とする、請求項２７に記載の装置。
【請求項２９】
前記補強リブ部は、前記表示パネルの一側に対して斜めに延びる１つ以上の斜線リブ部を含むことを特徴とする、請求項２７に記載の装置。
【発明の詳細な説明】
【技術分野】
【０００１】
本発明は表示装置に関し、より詳しくは、表示パネルを直接振動させて音響を発生させる形態の表示装置とそれに使われる音響発生アクチュエータ固定構造に関する。
【背景技術】
【０００２】
移動通信端末機、ノートブックコンピュータのような各種の携帯用電子機器が発展するにつれて、これに適用できる平板表示装置（Flat Panel Display Device）に対する要求が増大している。
【０００３】
平板表示装置には、液晶表示装置（Liquid Crystal Display Device）、プラズマディスプレイパネル（Plasma Display Panel）、電界放出表示装置（Field Emission Display Device）、発光ダイオード表示装置（Light Emitting Diode Display Device）、有機発光ダイオード表示装置（Organic Light Emitting Diode Display Device）などが研究されている。
【０００４】
このような表示装置のうち、液晶表示装置（ＬＣＤ）は、薄膜トランジスタを含むアレイ基板と、カラーフィルタ及び／又はブラックマトリックスなどを備えた上部基板と、その間に形成される液晶物質層を含んで構成され、画素領域の両電極の間に印加される電界によって液晶層の配列状態が調節され、それによって光の透過度が調節されて画像が表示される装置である。
【０００５】
一方、最近、表示装置として脚光を浴びている有機発光表示装置は、自ら発光する有機発光ダイオード（ＯＬＥＤ：Organic Light Emitting Diode）を用いることによって、応答速度が速く、発光効率、輝度、及び視野角などが大きいという長所がある。
【０００６】
一方、このような表示装置を含む完成品のセット装置として、例えば、このようなセット装置の例には、ＴＶ、コンピュータモニター、広告看板がある。
【０００７】
このような表示装置またはセット装置には、表示される映像と関連した音響を発生させて出力するためのスピーカーのような音響出力装置が含まれる。
【０００８】
一般に、液晶表示装置または有機発光ダイオード表示装置などの表示装置を製造する企業は表示パネルまたは表示装置のみを生産し、スピーカーを生産する別途の企業で製造されたスピーカーを表示装置に組み立てることにより、最終的に映像及び音が出力されるセット装置を実現していた。
【０００９】
図１は、従来の表示装置に含まれたスピーカーに対する概略的な平面図である。
【００１０】
図１に示すように、従来の表示装置１またはセット装置において、スピーカー２は表示パネルの後面または下端部に備えられている。
【００１１】
この場合、スピーカー２を通じて発生した音の進行方向は、映像が表示される表示パネルの前面でない後面または表示パネルの下方となるため、表示装置１の前方で映像を視聴する視聴者方向に音が進行しないので、視聴者の没入を妨害するという問題があった。
【００１２】
また、スピーカー２を通じて発生した音が表示パネルの後面または表示パネルの下方に進行する場合には、壁または底で反射される音との干渉によって音質が落ちるという問題があった。
【００１３】
また、従来の表示装置に含まれるスピーカーは発生した音響の進行方向が表示装置の観察者方向でない方に向かうようになって、音響の回折現象などにより音の定位感が落ちるだけでなく、ＴＶなどのセット装置を構成するに当たって、スピーカーが一定の空間を占めるようになるので、セット装置のデザイン及び空間配置上に一定の制約になるという問題もあった。
【００１４】
一方、最近、表示パネルまたは表示パネルに付着される振動板をアクチュエータで振動させて音響を出力する技術が提示されているが、このような音響出力方式には表示パネルの以外に音響発生のための振動板をさらに含まなければならず、音響発生アクチュエータを表示装置の支持構造に固定する方式が複雑であるという問題点があった。
【００１５】
したがって、表示パネルまたは振動板を振動させて音響を発生させるアクチュエータを表示装置に固定する構造に対する開発が必要な実状である。
【発明の概要】
【発明が解決しようとする課題】
【００１６】
本発明は前述した従来の問題点を解決するためのものであって、本発明の目的は、表示装置を構成する表示パネルを直接振動させて音響を発生させるパネル振動型音響発生が可能な表示装置を提供することにある。
【００１７】
本発明の他の目的は、優れる音響発生性能を有しながらも厚さを減少させることができる表示装置を提供することにある。
【００１８】
本発明の更に他の目的は、長時間の動作時にもアクチュエータ支持構造の強度が維持できる音響発生アクチュエータ固定装置とそれを含む表示装置を提供することにある。
【００１９】
本発明の更に他の目的は、全周波数帯域での音響特性を維持しながらも音圧を増加させることができる音響発生アクチュエータ固定装置とそれを含む表示装置を提供することにある。
【課題を解決するための手段】
【００２０】
前記の目的を達成するために、本実施形態による表示装置は、映像を表示する表示パネルと、表示パネルの少なくとも後面をカバーして支持するカバーボトムと、カバーボトムに備えられた支持孔に挿入され、先端部が前記表示パネルの一面に接触するように配置されて表示パネルを振動させて音響を発生させる２つ以上の音響発生アクチュエータと、２つ以上の音響発生アクチュエータを隣接するように一体的に支持して、カバーボトムに固定させるアクチュエータ固定装置を含んで構成できる。
【００２１】
この際、アクチュエータ固定装置は第１アクチュエータを支持する第１支持部と、第２アクチュエータを支持する第２支持部と、第１支持部と第２支持部と隣接して配置される補強リブ部と、カバーボトムとの固定のための複数の取付孔を含むモールド構造物であっても良い。
【００２２】
また、補強リブ部は２つのアクチュエータを繋ぐ縦方向に延びる１以上の縦方向リブ部を含むことができ、より具体的には第１支持部と第２支持部の外周から縦方向に延びる第１縦方向リブ部と、第１支持部と第２支持部を縦方向に連結する第２縦方向リブ部と、第２縦方向リブ部に対して垂直に延びる横方向リブ部とを含んでも良い。
【００２３】
また、第１支持部と第２支持部は各々第１アクチュエータと第２アクチュエータの後面の一部のみを支持して、第１アクチュエータと第２アクチュエータの後面中央部がアクチュエータ固定装置の外部に露出する開放構造であっても良い。
【００２４】
また、第１支持部と第２支持部との間の最小距離として定義される隔離距離（ｄ）はアクチュエータの大きさ（直径）より小さくても良い。
【００２５】
表示装置の後面支持構造であるカバーボトムに固定されるペムナットをさらに含み、アクチュエータ固定装置は取付孔に挿入される固定ボルトによりペムナットに固定しても良い。
【００２６】
本発明の他の実施形態によれば、映像を表示する表示パネルと接触して前記表示パネルを振動させて音響を発生させる２つ以上の音響発生アクチュエータを固定する装置であって、第１アクチュエータを支持する第１支持部と、第２アクチュエータを支持する第２支持部と、第１支持部と第２支持部と隣接して配置される補強リブ部と、表示装置の後面支持構造であるカバーボトムとの固定のための複数の取付孔を含むアクチュエータ固定装置を提供する。
【発明の効果】
【００２７】
本発明の実施形態によれば、パネル振動型音響発生装置を含む表示装置を構成するに当たって、表示装置の支持構造に形成された支持孔に２つの音響発生アクチュエータを隣接するように挿入させて固定させる固定構造を提供することによって、高い音圧で優れる音響を発生させながらも表示装置の厚さを減少させることができる。
【００２８】
また、２つの音響発生アクチュエータを隣接するように支持するアクチュエータ固定装置を提供し、かつ各アクチュエータ支持部の間に複数のリブ部を提供することによって、長時間の動作時にもアクチュエータ支持構造の強度が維持できる。
【００２９】
また、２つの音響発生アクチュエータを隣接するように支持するアクチュエータ固定装置で、２つのアクチュエータの間の離隔距離を各アクチュエータの大きさに関連して一定の範囲に制限することによって、全周波数帯域での音響特性を維持しながらも音圧を増加させることができる。
【図面の簡単な説明】
【００３０】
【図１】従来の表示装置に含まれたスピーカーに対する概略的な平面図である。
【図２】本実施形態が適用できるパネル振動型音響発生装置を含む表示装置の概略図であって、図２ａは平面図、図２ｂは断面図である。
【図３】本実施形態によるアクチュエータ固定装置と、表示装置の支持構造であるカバーボトムへの固定構造を図示する斜視図である。
【図４】本実施形態によるアクチュエータ固定装置とアクチュエータとが結合された形態の図面であって、図４ａは一方向斜視図、図４ｂは平面図、図４ｃは他方向斜視図である。
【図５】本実施形態によるアクチュエータ固定装置で、２つのアクチュエータの間の隔離距離（ｄ）を図示する。
【図６】本実施形態に使われる音響発生アクチュエータの構造の一例を図示する断面図である。
【図７】本実施形態に使用できる音響発生アクチュエータが表示パネルを振動させて音響を発生する状態を図示する。
【図８】本実施形態による表示装置での支持構造であるカバーボトムと表示パネルとの間に配置されるバッフル部の構造を図示する。
【図９】本実施形態による音響発生アクチュエータ固定装置が使われた場合の音響出力特性を説明するためのものであって、図９ａは本実施形態と対比される形態のアクチュエータ取付構成を図示し、図９ｂは図９ａの取付構造と本実施形態での音響出力特性を対比したグラフである。
【図１０】本実施形態によるアクチュエータ固定装置のリブ部が使われた場合の効果を示すグラフである。
【図１１】本実施形態によるアクチュエータ固定装置で、両アクチュエータの間の隔離距離に従う音響出力特性を示すグラフである。
【発明を実施するための形態】
【００３１】
以下、本発明の一部の実施形態を例示的な図面を通じて詳細に説明する。各図面の構成要素に参照符号を付加するに当たって、同一な構成要素に対しては、たとえ他の図面上に表示されても、できる限り同一な符号を有する。また、本発明を説明するに当たって、関連した公知構成または機能に対する具体的な説明が本発明の要旨を曖昧にすることがあると判断される場合には、その詳細な説明は省略する。
【００３２】
また、本発明の構成要素を説明するに当たって、第１、第２、Ａ、Ｂ、（ａ）、（ｂ）などの用語を使用する。このような用語はその構成要素を他の構成要素と区別するためのものであり、その用語により当該構成要素の本質、順序、手順、または個数などが限定されるものではない。ある構成要素が他の構成要素に“連結”、“結合”、または“接続”されると記載された場合、その構成要素は該他の構成要素に直接的に連結または接続できるが、各構成要素の間に他の構成要素が“介在”されるか、または各構成要素が他の構成要素を通じて“連結”、“結合”、または“接続”されることもできると理解されるべきである。
【００３３】
図２は本実施形態が適用できるパネル振動型音響発生装置を含む表示装置の概略図であって、図２ａは平面図、図２ｂは断面図である。
【００３４】
図２に示すように、本実施形態による表示装置は、映像を表示する表示パネル１００と、表示装置の後面支持構造であるカバーボトム（Cover Bottom；３００）と、表示パネルの一面に接触して表示パネルを振動させて音響を発生させる２つの隣接配置される音響発生アクチュエータ２００、２００’と、２つの隣接した音響発生アクチュエータを固定するアクチュエータ固定装置１０００を含んで構成できる。
【００３５】
以下、音響発生アクチュエータ２００、２００’を単純にアクチュエータとも表現する。
【００３６】
図６などでより詳細に説明するが、音響発生アクチュエータ２００は、マグネットと、マグネットを支持するプレートと、前記プレートの中央領域に突出形成されるセンターポールと、前記センターポールの周囲を囲むように配置され、音響発生用電流が印加されるコイルが巻き取られたボビンとを含み、前記ボビンの先端部が前記表示パネルの一面に接触するように配置される。
【００３７】
アクチュエータ固定装置１０００は、発生する音響強度、即ち音圧を増加させるために２つの隣接したアクチュエータを支持して表示装置の後面支持構造と固定させるための固定構造物であって、その細部構成に対しては図３を参照しつつ以下に詳細に説明する。
【００３８】
また、図２ｂに示すように、表示装置は表示パネルの後面または側面のうちの１つ以上を支持する支持構造を含むことができ、音響発生アクチュエータ固定装置１０００は表示装置の支持構造に固定される。
【００３９】
支持構造は表示パネルの後面に配置されるカバーボトム３００を含み、表示パネルの側面を囲みながら前記カバーボトムと結合され、表示パネルの一側縁部を収容して支持するミドルキャビネット５００をさらに含むことができる。
【００４０】
支持構造を構成するカバーボトム（Cover Bottom）は、表示装置の後面の全体に亘って延びる金属またはプラスチック材質の板状部材でありうる。
【００４１】
一方、本明細書でのカバーボトム３００はその用語に限定されるものではなく、プレートボトム（Plate Bottom）、バックカバー（Back Cover）、ベースフレーム（Base Frame）、メタルフレーム（Metal Frame）、メタルシャーシ（Metal Chassis）、シャーシベース（Chassis Base）、ｍ−シャーシなど、他の表現で使われることができ、表示パネルを支持する支持体であって、表示装置の後方基底部に配置される全ての形態のフレームまたは板状構造物を含む概念として理解されるべきである。
【００４２】
本明細書で、“表示装置”という用語は、表示パネルと表示パネルを駆動するための駆動部を含む液晶モジュール（Liquid Crystal Module；ＬＣＭ）、有機発光表示モジュール（OLED Module）のような狭義の表示装置は勿論、そのようなＬＣＭ、ＯＬＥＤモジュールなどを含む完成品であるノートブックコンピュータ、ＴＶ、コンピュータモニター、スマートフォン、または電子パッドのようなモバイル電子装置などのセット電子装置、またはセット装置までも含む概念として使用する。
【００４３】
即ち、本明細書での表示装置は、ＬＣＭ、ＯＬＥＤモジュールのような狭義のディスプレイ装置は勿論、それを含む応用製品であるセット装置まで含む意味として使用する。
【００４４】
但し、場合によっては、表示パネルとその駆動部などで構成されるＬＣＭ、ＯＬＥＤモジュールを狭義の“表示装置”と表現し、そのようなＬＣＭ、ＯＬＥＤモジュールを含む完成品としての電子装置を“セット装置”に区別して表現することもできる。例えば、狭義の表示装置は液晶（ＬＣＤ）または有機発光（ＯＬＥＤ）表示パネルとそれを駆動するための制御部であるソースＰＣＢを含み、セット装置はソースＰＣＢに電気的に連結されてセット装置の全体を制御するセット制御部であるセットＰＣＢをさらに含む概念でありうる。
【００４５】
本実施形態に使われる表示パネル１００は、液晶表示パネル、有機電界発光（ＯＬＥＤ：Organic Light Emitting Diode）表示パネル、プラズマ表示パネル（ＰＤＰ：Plasma Display Panel）は全ての形態の表示パネルが使われることができ、音響発生アクチュエータ２００により直接振動されることによって、音波を発生できる限り、特定の表示パネルに限定されるものではない。
【００４６】
より詳しくは、表示パネルが液晶表示パネルの場合には、複数のゲートラインとデータライン及びその交差領域に定義されるピクセル（Pixel）と、各ピクセルでの光透過度を調節するためのスイッチング素子である薄膜トランジスタを含むアレイ基板と、カラーフィルタ及び／又はブラックマトリックスなどを備えた上部基板と、その間に形成される液晶物質層を含んで構成できる。
【００４７】
また、表示パネルが有機電界発光（ＯＬＥＤ）表示パネルの場合には、複数のゲートラインとデータライン及びその交差領域に定義されるピクセル（Pixel）と、各ピクセルに選択的に電圧を印加するための素子である薄膜トランジスタを含むアレイ基板と、アレイ基板上の有機発光素子（ＯＬＥＤ）層、及び有機発光素子層を覆うようにアレイ基板上に配置される封止基板またはエンカプセレーション（Ｅｎｃａｐ．）基板などを含んで構成できる。封止基板は外部の衝撃から前記薄膜トランジスタ及び有機発光素子層などを保護し、前記有機発光素子層への水分の侵入を防止する。
【００４８】
本実施形態による表示装置に使われる表示パネルはその形態に制限はないが、以下のような理由により有機電界発光表示パネルがより好ましい。
【００４９】
具体的に、液晶表示パネルの場合、積層されるレイヤが多く、別途の光源が配置された間接光源方式のバックライトが備えられなければならないので、音響発生アクチュエータ２００により直接振動される場合、液晶材料の方向性が揺れて、それによって画像の歪みが発生することがある。
【００５０】
一方、有機発光（ＯＬＥＤ）表示パネルの有機発光素子は自発光素子に該当して別途の光源を必要とせず、偏光レイヤ（ＰＯＬ）、ガラスレイヤ、エンカプセレーションレイヤ（Ｅｎｃａｐ．）などの種々のレイヤが１つのパネルに合紙されているので、音響発生アクチュエータ２００により直接振動されても有機発光層の発光特性に影響がほとんどないので画像の歪みが発生しない。したがって、本実施形態では有機発光表示パネルを使用することがより好ましい。
【００５１】
一方、本実施形態による表示装置に使われる表示パネルは一般的な構造を有するので、表示パネルに対するより具体的な説明は省略する。
【００５２】
また、本実施形態による表示装置は、支持構造であるカバーボトム３００またはミドルキャビネット５００と表示パネルとの間に配置されて発生した音波を伝達させる空間であるエアーギャップ空間６００（Ａ／Ｇ）を形成するためのバッフル部４００をさらに含むことができる。
【００５３】
即ち、エアーギャップ空間（Ａ／Ｇ）の縁部で表示パネルをカバーボトムに密着結合することによって、表示パネルとカバーボトムとの間のエアーギャップ空間が形成され、アクチュエータが表示パネルを振動させて発生した音波がこのようなエアーギャップ６００（Ａ／Ｇ）空間を通じて維持または伝播できる。
【００５４】
即ち、バッフル部４００はカバーボトムまたはミドルキャビネットの縁部に配置され、かつ表示パネルの底面と表示装置の支持構造（カバーボトムまたはミドルキャビネット）との間を塞ぐことで、表示パネル振動に従う音響発生を可能にするエアーギャップ空間を定義する部材を意味する。
【００５５】
本実施形態のような表示パネル振動型表示装置では、表示パネル１００を振動させるアクチュエータの出力または大きさに従って発生する音響の強さ、即ち音圧が決定される。
【００５６】
一方、アクチュエータの出力を大きくするにはアクチュエータの大きさが大きくならなければならず、そのような場合、表示装置の全体の厚さが増加する問題などが発生することがある。
【００５７】
したがって、表示装置の厚さを薄く維持しながらも一定以上の音響強度（音圧）を有する音響を発生させるために同一な制御信号が提供される複数のアクチュエータが使用できる。
【００５８】
一方、同一に動作する複数のアクチュエータが離隔配置される場合には、そのアクチュエータで発生する音波の干渉または共鳴現象によって音響出力特性が低下することがある。
【００５９】
したがって、音圧の増加のために複数のアクチュエータを配置する時には、音響特性を維持するために複数のアクチュエータを隣接して配置する必要がある。
【００６０】
しかしながら、単純に２つ以上のアクチュエータを隣接して配置しても２つのアクチュエータが分離されている場合にはアクチュエータの間の干渉及びディレイ現象などによって特定周波数で強い音圧が発生する、いわゆるディップ（Dip.）現象が発生することがある。
【００６１】
したがって、本実施形態では２つ以上のアクチュエータを隣接して一体に支持し、それを表示装置の支持構造（カバーボトム）に固定することができるアクチュエータ固定装置１０００を提供する。
【００６２】
このような観点で、本実施形態による表示装置の構成をまた説明すると、本実施形態によるパネル振動型音響発生表示装置は、映像を表示する表示パネル１００と、表示パネルの少なくとも後面をカバーして支持する後面支持構造としてのカバーボトム３００と、カバーボトムに備えられた支持孔３１０に挿入され、先端部が表示パネルの一面に接触するように配置されて表示パネルを振動させて音響を発生させる２つ以上の音響発生アクチュエータ２００、２００’と、２つ以上の音響発生アクチュエータを隣接するように一体に支持して、カバーボトムに固定させるアクチュエータ固定装置１０００を含んで構成できる。
【００６３】
このような本実施形態による細部構成を図３から図８を参照しつつより詳細に説明する。以下では便宜上、音響発生アクチュエータが２つのアクチュエータである第１アクチュエータ２００及び第２アクチュエータ２００’を含むことと説明するが、それに限定されるものではない。
【００６４】
図３は本実施形態によるアクチュエータ固定装置と、表示装置の支持構造であるカバーボトムへの固定構造を図示する斜視図であり、図４は本実施形態によるアクチュエータ固定装置とアクチュエータとが結合された形態の図であって、図４ａは一方向斜視図、図４ｂは平面図、図４ｃは他方向斜視図である。
【００６５】
図３に示すように、本実施形態に使われるアクチュエータ固定装置１０００は、第１アクチュエータ２００と第２アクチュエータ２００’が隣接するように固定支持する一体型固定構造物である。
【００６６】
このようなアクチュエータ固定装置１０００は、プラスチックなどの材料をモールディング工法によリ製造できるモールド構造物でありうるが、それに限定されるものではない。
【００６７】
より具体的に、本実施形態によるアクチュエータ固定装置１０００は、第１アクチュエータ２００を支持する第１支持部１１２０と、第２アクチュエータ２００’を支持する第２支持部１２２０と、第１支持部と第２支持部と隣接して配置される補強リブ部１４００と、カバーボトムとの固定のための複数の取付孔１３１０〜１３４０を含むことができる。
【００６８】
第１支持部１１２０は第１アクチュエータ２００の側面の一部と後面の一部を支持する円筒形状の構造物であり、第１支持部の内側には第１アクチュエータの後方の一部が収容される第１収容部１１１０が形成される。
【００６９】
同様に、第２支持部１２２０は第２アクチュエータ２００’の側面の一部と後面の一部を支持する円筒形状の構造物であり、第２支持部の内側には第２アクチュエータの後方の一部が収容される第２収容部１２１０が形成される。
【００７０】
第１支持部１１２０と第２支持部１２２０は２つまたは４個の円弧形状突出部で構成されることができ、各突出部の先端は内側に折り曲げられて各アクチュエータの後面の一部を支持することによって、アクチュエータがアクチュエータ固定装置の外側に離脱することを防止する。
【００７１】
一方、アクチュエータ固定装置１０００の剛性を維持しながら長時間の使用にもアクチュエータ固定装置の変形を防止し、２つ以上のアクチュエータの間の距離を一定に維持するために第１支持部と第２支持部の付近には複数の補強リブ部が形成できる。
【００７２】
より具体的に、補強リブ部１４００は第１支持部と第２支持部の外周から縦方向に延びる第１縦方向リブ部１４１０と、第１支持部と第２支持部とを縦方向に連結する第２縦方向リブ部１４２０と、第２縦方向リブ部に対して垂直に延びる横方向リブ部１４３０とを含むことができる。
【００７３】
本明細書では、２つのアクチュエータが配置される長辺方向を縦方向と表現し、それに垂直な短辺方向を横方向と表現する。
【００７４】
第１縦方向リブ部１４１０は、第１支持部１１２０と第２支持部１２２０の外側から縦方向に長く延長されて、アクチュエータ固定装置の縦方向の外周構造を形成する。
【００７５】
この際、第１縦方向リブ部１４１０の中央領域、即ち第１支持部１１２０と第２支持部１２２０との間の中央領域は、第１縦方向リブ部１４１０の両側領域に比べて高さがより高く形成しても良いし、またはリブの厚さがより厚く形成しても良い。
【００７６】
したがって、２つのアクチュエータが長時間高出力で振動してもアクチュエータの固定装置の変形を防止し、２つのアクチュエータと表示パネルとの間の相対的な位置の変化を最小化する。
【００７７】
一方、第１縦方向リブ部１４１０の内側には第１支持部１１２０及び第２支持部１２２０と一体連結される１以上の第２縦方向リブ部１４２０が配置される。
【００７８】
図３及び図４では、第２縦方向リブ部１４２０が２つ配置されるものとして図示したが、それに限定されるものではなく、第２縦方向リブ部１４２０を１つまたは３個以上形成しても良い。
【００７９】
また、２つの第２縦方向リブ部１４２０の間または２つの第１縦方向リブ部１４１０の間には、縦方向リブ部と一体連結され、横方向に延びる１以上の横方向リブ部１４３０が形成される。
【００８０】
図３及び図４では、１つの横方向リブ部１４３０が含まれるものを例示しており、図３では横方向リブ部１４３０が２つの第２縦方向リブ部１４２０の間で延びる構造を、図４ｂでは横方向リブ部１４３０が２つの第１縦方向リブ部１４１０の間に亘って延びる構造を例示する。
【００８１】
また、図４ｂ及び図１０ａなどに示すように、第１支持部または第２支持部と第１縦方向リブ部１４１０との間には斜めに延びる１以上の斜線リブ部１４４０がさらに形成できる。このような斜線リブ部１４４０は、結果的に、表示パネルの一側に対して斜めに延長できる。
【００８２】
このように、本実施形態によるアクチュエータ固定装置１０００では、縦方向、横方向、及び斜線方向に延びる複数のリブ部を含む補強リブ部が形成されることによって、２つのアクチュエータが長時間強い振動をしてもアクチュエータを強く支持することができ、結果的に、アクチュエータの固定装置の変形を防止し、２つのアクチュエータと表示パネルとの間の相対的な位置の変化を最小化することができる。
【００８３】
これによって、長時間の動作による音響特性変化を最小化することができ、その実験結果に対しては図１０でより詳細に説明する。
【００８４】
このように、本実施形態によるアクチュエータ固定装置に形成される補強リブ部１４００は、２つのアクチュエータを繋ぐ縦方向に配置される少なくとも１以上の縦方向リブ部を含む。
【００８５】
また、補強リブ部１４００が非対称の場合には、高温または低温でアクチュエータ固定装置の撓み量の差が発生して音響特性が悪くなることがあるので、本実施形態による補強リブ部１４００は全体的に上下左右対称のものが好ましい。
【００８６】
前述したように、一般スピーカーの場合、薄い振動板（紙、ＰＰなど）を使用すれば、音圧は十分に出るが、本実施形態のように、表示パネルを振動板として使用する場合には、表示パネルの重さ及び厚さによって音圧が基本的に落ちて商用化が困難になる。
【００８７】
したがって、表示パネル直接振動型表示装置では音圧を高めるために同一に制御される複数のアクチュエータを直列に連結する構造が提案されている。
【００８８】
しかしながら、単純に複数のアクチュエータを直列に配置する場合、アクチュエータと表示パネルとの接触特性を均一に維持し難いだけでなく、アクチュエータの間の干渉及びディレイ現象によって音質が低下する問題が発生する。
【００８９】
したがって、本実施形態では２つ以上のアクチュエータを隣接するように固定支持して、表示装置の後面支持構造であるカバーボトムに固定する装置であるアクチュエータ固定装置を提供することによって、前記のような問題点を解決する。
【００９０】
この際、第１支持部１１２０と第２支持部１２２０は、各々第１アクチュエータ２００と第２アクチュエータ２００’の後面の一部のみ支持して、第１アクチュエータ２００と第２アクチュエータ２００’の後面中央部がアクチュエータ固定装置の外部に露出する構造を有することが好ましい。
【００９１】
即ち、図４ａに示すように、第１支持部１１２０と第２支持部１２２０の突出部の先端部が内側に若干折り曲げられて、各アクチュエータの後面のうちの一部だけを支持することによって、アクチュエータ２００、２００’の後面中央部が外部に露出する構造である。
【００９２】
図２ｂに示すように、最近の表示装置の薄型化傾向によって表示パネル１００とカバーボトム３００との間のエアーギャップ空間６００の間隔Ｇが約０．９ｍｍ以下と極めて小さい。
【００９３】
一方、表示パネルが振動することによって、音波が発生する本発明のような構造では、エアーギャップ空間で空気の圧縮弛緩特性がアクチュエータの上下振動に影響を及ぼすことがあり、エアーギャップ空間が小さな場合には、このような影響が大きくなる問題が発生する。
【００９４】
即ち、狭いエアーギャップ空間によって空気の圧縮弛緩特性がアクチュエータの上下振動運動を制限してアクチュエータの動作性能が低下する現象であるエアダンピング現象が発生する。
【００９５】
したがって、本実施形態では第１支持部１１２０と第２支持部１２２０が各々第１アクチュエータ２００と第２アクチュエータ２００’の後面の一部のみ支持して、第１アクチュエータ２００と第２アクチュエータ２００’の後面中央部がアクチュエータ固定装置の外部に露出する、いわゆる開放構造を有することによって、エアーギャップ空間の足りないエアー量を増やして前述したエアダンピング現象を抑制する効果を提供することができる。
【００９６】
また、本実施形態によるアクチュエータ固定装置１０００では、２つのアクチュエータの間の距離が、発生する音響の特性に影響を及ぼすので、両アクチュエータの間の距離または第１支持部と第２支持部との間の隔離距離（ｄ）を最適化する必要がある。
【００９７】
図５に示すように、第１支持部１１２０と第２支持部１２２０との間の最短距離として定義される隔離距離（ｄ）は、補強リブ部の形成のために最小しきい値よりは大きくなければならず、第１アクチュエータまたは第２アクチュエータの大きさである最大しきい値よりは小さいことが好ましい。
【００９８】
同様に、本実施形態では第１アクチュエータ２００と第２アクチュエータ２００’との間の距離やはり各アクチュエータ２００、２００’の大きさ（直径）より小さくしても良い。
【００９９】
より具体的に、第１支持部１１２０と第２支持部１２２０との間の隔離距離（ｄ）は小さいほど音質特性は優れるが、補強リブ部が機能するための最小厚さを確保するために第１支持部１１２０と第２支持部１２２０との間の隔離距離（ｄ）は最小しきい値である約７ｍｍよりは大きくなければならない。
【０１００】
また、第１支持部１１２０と第２支持部１２２０との間の隔離距離（ｄ）が最小しきい値以上に大きくなる場合、音質特性が多少変化するが、第１支持部１１２０と第２支持部１２２０との間の隔離距離（ｄ）がアクチュエータの大きさ（Ｄ）より小さいか等しい程度まではその音質特性の変化が大きくないが、第１支持部１１２０と第２支持部１２２０との間の隔離距離（ｄ）がアクチュエータの大きさ（Ｄ）より大きくなる場合、音質特性が急激に低下することを確認した。
【０１０１】
したがって、本実施形態では、アクチュエータ固定装置１０００の第１支持部１１２０と第２支持部１２２０との間の隔離距離（ｄ）がアクチュエータの大きさ（Ｄ）より小さいようにすることによって、音質の低下を最小化することができる効果があり、その実験結果に対しては以下で図１１を参照しつつより詳細に説明する。
【０１０２】
また、本実施形態によるアクチュエータ固定装置１０００はカバーボトムと固定結合するために複数の取付孔を備えることができ、図３及び図４の実施形態ではアクチュエータ固定装置の４箇所の隅に各々第１取付孔１３１０乃至第４取付孔１３４０が形成される構造を例示する。
【０１０３】
また、図３に示すように、カバーボトム３００に固定されるペムナット３３０をさらに含み、アクチュエータ固定装置１０００は取付孔３１３０〜１３４０に挿入される固定ボルト３２０によりペムナットに固定できる。
【０１０４】
本明細書で、ペムナットはセルフ−クリンチングナット（Self-clinching nut）と同一な意味として使われて、便宜上、以下ではペムナットの用語のみを使用する。
【０１０５】
また、たとえ図示してはいないが、ペムナット３３０はカバーボトム３００に形成されるペムナット固定孔に一側が圧入された後、先端部がコーティングされることによってカバーボトムに固定できる。
【０１０６】
一方、ペムナット３３０の内面にはねじ貫通孔が形成されているので、アクチュエータ固定装置の取付孔をペムナットのねじ貫通孔と整列した後、固定ボルト３２０を引き締めることによって、アクチュエータ固定装置１０００をカバーボトム３００に固定させることができる。
【０１０７】
このようなペムナット３３０を使用すると、アクチュエータの強い振動がカバーボトムに伝達されることを一定部分防止することができる。
【０１０８】
即ち、ペムナット３３０無しで直ちにアクチュエータ固定装置１０００をカバーボトムに接触結合する場合、アクチュエータの動作時に発生する強い振動が長時間カバーボトムに伝達され、それによって比較的薄く製作されるカバーボトムが撓みまたは変形される問題が発生する可能性がある。
【０１０９】
一方、本実施形態のようにペムナット３３０を使用すると、アクチュエータで発生する振動がペムナットで一定部分吸収され、結果的にカバーボトムに伝達される振動を最小化することができる。
【０１１０】
また、前記のようなペムナット３３０を使用したならば、カバーボトムが薄くて固定ボルトをカバーボトムに直接ねじ結合する場合に固定力が充分でないという問題を解決することができるという利点がある。
【０１１１】
即ち、ペムナット３００がない場合、アクチュエータ固定装置の取付孔に形成されるねじ孔を通過した固定ボルトをカバーボトムに形成されるねじ孔に直接ねじ結合させて固定しなければならないが、この場合、カバーボトムの厚さが大きければ結合に問題がないが、カバーボトムの厚さが薄い場合、結合力が充分でないという問題が発生する。
【０１１２】
したがって、前記のようにペムナット３３０を予めカバーボトムに圧入／コーキング方式により固定させた後、そのペムナットにアクチュエータ固定装置を結合させると、カバーボトムの厚さが薄い場合にも充分の結合力が確保できるようになる。
【０１１３】
以下、本実施形態に使用できるアクチュエータの細部構造と、アクチュエータの振動により音響が発生する原理を詳細に説明する。
【０１１４】
図６は本実施形態に使われる音響発生アクチュエータの構造の一例を図示する断面図であり、図７は本実施形態に使用できる音響発生アクチュエータが表示パネルを振動させて音響を発生する状態を図示する。
【０１１５】
本実施形態に使われる第１音響発生アクチュエータ２００及び第２音響発生アクチュエータ２００’は同一な構造を有し、以下ではそのうちの１つである第１音響発生アクチュエータ２００を代表して説明する。
【０１１６】
本実施形態に使われる音響発生アクチュエータ２００は、永久磁石であるマグネット２２０と、そのマグネットを支持するプレート２１０、２１０’と、プレートの中央領域に突出するセンターポール２３０と、前記センターポール２３０の周囲に囲むように配置されるボビン２５０と、ボビンの外周に巻き取られて音響発生のための電流が印加されるコイル２６０などを含んで構成できる。
【０１１７】
一方、本実施形態に使われる音響発生アクチュエータは、マグネットがコイルの外側に配置される第１のタイプの構造と、マグネットがコイルの内側に配置される第２のタイプの構造を両方とも含むことができ、図６はマグネットがコイルの外側に配置される第１のタイプの構造を図示する。
【０１１８】
このような第１のタイプの構造による音響発生アクチュエータは外磁型と称されることができる。下部プレート２１０は、アクチュエータ固定装置の第１支持部１１２０に収容されて固定され、下部プレートの外周に環状の永久磁石であるマグネット２２０が配置される。
【０１１９】
マグネット２２０の上部には上部プレート２１０’が配置され、上部プレートの外周には上部プレートから突出形成される外部フレーム２４０が配置される。
【０１２０】
一方、下部プレート２１０の中央領域にはセンターポール２３０が突出して配置され、センターポール２３０の周囲を囲むボビン２５０が配置される。
【０１２１】
ボビン２５０の下側部の周囲にはコイル２６０が巻き取られており、このコイルに音響発生用電流が印加される。
【０１２２】
一方、ボビンの上側の一部と外部フレーム２４０との間にはダンパ２７０が配置できる。
【０１２３】
下部プレート２１０は図３ａに図示されたように円形に備えられ、前記下部プレート２１０上にリング形状に備えられたマグネット２２０が備えられ、マグネット上に上部プレート２１０’が備えられる。
【０１２４】
プレートは、鉄（Ｆｅ）のように磁性を有する物質からなることができる。プレートはその用語に限定されるものではなく、ヨークなど、他の用語で表現できる。
【０１２５】
一方、センターポール２３０と下部プレート２１０とは一体形成されても良い。
【０１２６】
ボビン２５０は紙またはアルミニウムシートなどで形成される環状構造物であって、ボビンの下側の一定領域の周囲にコイル２６０が巻き取られる。このようなボビンとコイルとを合せてボイスコイルと表現することもできる。
【０１２７】
コイルに電流が印加されれば、コイルの周囲に磁場が形成され、マグネット２２０により形成される外部磁場があるため、フレミングの法則に従って、ボビンの全体がセンターポールによりガイドされながら上側に移動する。
【０１２８】
一方、ボビン２５０の先端部は表示パネル１００の後面に接触しているため、電流印加及び非印加状態によって表示パネルを振動させるようになり、このような振動により音波が発生する。
【０１２９】
マグネット２２０はバリウムフェライトなど、焼結磁石を用いることができ、材質は酸化第２鉄（Ｆｅ２Ｏ３）、炭酸バリウム（ＢａＣＯ３）、磁力成分が改善されたストロンチウムフェライト、アルミニウム（Ａｌ）、ニッケル（Ｎｉ）、コバルト（Ｃｏ）の合金鋳造磁石などが使用できるが、それに限定されるものではない。
【０１３０】
一方、ボビン２５０の上側の一部と外部フレーム２４０との間にはダンパ２７０が配置され、ダンパ２７０は蛇腹構造で備えられて、ボビンの上下運動によって収縮及び弛緩しながら前記ボビンの上下振動を調節する。即ち、ダンパ２７０がボビン２５０と外部フレーム２４０に各々連結されているので、ボビンの上下振動はダンパ２７０の復原力により制限され、具体的に、ボビン２７０が一定高さ以上に振動するか、または一定高さ以下に振動する場合、ダンパ２７０の復原力によりボビンが原位置に原状復帰することができる。このようなダンパはエッジなど、他の用語で表現できる。
【０１３１】
また、ボビン２５０の先端部にはボビンと表示パネル１００を接着しながらボビンの振動を表示パネルに伝達するための振動伝達部材２８０を配置しても良い。
【０１３２】
このような振動伝達部材２８０はリング形状の板状部材であって、両側には接着面が形成されてその一面はボビンの先端に接着され、残りの他面は表示パネルに接着できる。
【０１３３】
本実施形態に使われるアクチュエータは、図６のような外磁型に限定されるものではなく、マグネットがコイルの内側に配置される、マイクロタイプまたは内磁型のアクチュエータが使用されることもできるが、便宜上、内磁型アクチュエータの構造に対しては説明を省略する。
【０１３４】
また、本実施形態による表示装置に使われる音響発生アクチュエータは、図６に図示した形態に限定されるものではなく、電流印加によって表示パネルを上下に振動させて音響を発生できる限り、他の種類のアクチュエータが使われても構わない。
【０１３５】
図７は、本実施形態に使用できる音響発生アクチュエータが表示パネルを振動させて音響を発生する状態を図示する。
【０１３６】
図７ａは電流が印加された状態を示している。マグネットの下面と連結されたセンターポールがＮ極となり、マグネットの上面と連結された上部プレートがＳ極となって、コイルの間に外部磁場が形成される。
【０１３７】
この状態で音響発生用電流がコイルに印加されれば、コイルの周囲に印加磁場が生成されるが、印加磁場と外部磁場によりボビンを上側に移動する力が発生する。
【０１３８】
したがって、図７ａのようにボビンが上側に移動し、ボビンの先端部に接触している表示パネルが上側に振動する。
【０１３９】
この状態で電流印加が中止されるか、または反対方向の電流が印加されれば、図７ｂのように、類似の原理によってボビンを下側に移動させる力が発生し、したがって、表示パネルが下側に振動する。
【０１４０】
このように、コイルへの電流印加方向とサイズによって、表示パネルが上下に振動するようになり、このような振動により音波が発生する。
【０１４１】
図８は、本実施形態による表示装置での支持構造であるカバーボトムと表示パネルとの間に配置されるバッフル部の構造を図示する。
【０１４２】
本実施形態によるパネル振動型音響発生装置では、表示パネル１００と支持構造（カバーボトム；３００など）との間に音響発生アクチュエータ２００によってパネルが振動することができる空間であるエアーギャップ６００を確保しなければならない。
【０１４３】
また、表示パネルが振動する時、音波を発生できるように表示パネルの一側が表示パネルの支持構造に接合されなければならず、特に発生した音響が表示装置の側面などを通じて外部に漏洩されてはならない。
【０１４４】
このような目的のために、本実施形態による表示装置では表示パネルの下面と支持構造であるカバーボトムとの間に一定のバッフル部４００を形成する。
【０１４５】
より詳しくは、音響発生アクチュエータの周囲の一定の区画（即ち、エアーギャップ空間）が定義され、その区画の縁部には表示パネルの下面とミドルキャビネットまたはカバーボトムの上面との間でバッフル部が配置され、バッフル部４００は表示パネルの底面と表示装置の支持構造の上面との間に接着される両面テープのような接着部材４１２と、接着部材の外周にさらに配置されるシーリング部４１４とを含んで構成されることが好ましい。
【０１４６】
この際、バッフル部が形成される区画は表示パネルの外周の４個の辺により定義される表示パネル領域全体でありうるが、それに限定されるものではない。
【０１４７】
図８のように、表示装置の支持構造は表示パネルの後面の全体をカバーするカバーボトム３００の以外に、カバーボトムに結合され、表示パネルの一部を安着するためのミドルキャビネット５００をさらに含むことができる。
【０１４８】
ミドルキャビネット５００は表示パネルの外周に沿って形成されるフレーム形態の部材であって、表示パネルの一部が安着する水平支持部と、前記水平支持部から両側に折曲形成されてカバーボトムの側面及び表示パネルの側面をカバーする垂直支持部を含んで全体的にＴ字断面形状を有していても良い。
【０１４９】
このようなミドルキャビネット５００は、表示装置またはセット装置の側面外観部を構成し、場合によっては、使われないか、またはカバーボトムと一体形成されても良い。
【０１５０】
図８の実施形態によれば、バッフル部４００を構成する接着部材４１２はミドルキャビネット５００の水平支持部の上面と表示パネルとの間に配置される両面テープであって、表示パネルの下面をミドルキャビネットに接着固定する機能をする。
【０１５１】
また、バッフル部を構成するシーリング部４１４は接着部材の外周にさらに配置され、非圧縮時に、非圧縮時の接着部材の厚さまたは高さより大きい厚さまたは高さを有することが好ましい。
【０１５２】
シーリング部４１４は弾性の大きいゴムなどの材質で構成することができ、図７ｂに示すように、非圧縮時の接着部材４１２の厚さ（ｔ１）より大きい厚さｔ２を有する。
【０１５３】
即ち、図８のように、ミドルキャビネット５００の水平支持部の上面の内側部分に厚さｔ１を有する両面テープである接着部材４１２の一面を接着配置し、接着部材の外周にｔ１より大きい厚さを有する弾性材料のシーリング部４１４を配置する。
【０１５４】
その状態で、表示パネル１００が接着部材４１２の接着面に付着させると、より大きい厚さを有するシーリング部４１４が一定程度圧迫されながら表示パネルとミドルキャビネットとに接着する。
【０１５５】
したがって、音響発生アクチュエータの周囲のエアーギャップ領域の封入性をより向上できる。
【０１５６】
結果的に、図８のように、ミドルキャビネットの水平支持部と接着部材４１２の厚さだけのエアーギャップ６００が形成されながら表示パネル１００とカバーボトム３００とが結合されることによって、表示パネルが音響を発生することができる振動空間を確保することができると共に、内部で発生した音波が表示装置の側面に沿って外部に流出することを防止することができる。
【０１５７】
特に、エアーギャップ空間の縁部に配置されるバッフル部４００を接着部材４１２とシーリング部４１４の二重構造にし、かつ非圧縮時のシーリング部の厚さをより大きく形成することによって、エアーギャップ空間の封入性をより向上させて音響の流出をさらに遮断することができる。
【０１５８】
本明細書でのミドルキャビネット５００は、ガイドパネル（Guide Panel）、プラスチックシャーシ、ｐ−シャーシ、サポートメイン、メインサポート、モールドフレームなど、他の表現に取り替えることができ、複数の折曲部がある断面形状を有する四角フレーム形状の構造物であって、カバーボトムに連結されて表示パネル及びバッフル部を支持するために使われる全ての形態の部材を含むものとして理解されるべきである。
【０１５９】
一方、前述したように、カバーボトムと表示パネルとの間を支持するためにミドルキャビネットが使用しても良い。このようなミドルキャビネットは必ず必要な構造でないことがあり、ミドルキャビネットが使われない場合には、前述したバッフル部がカバーボトム３００の上面と表示パネルの下面との間に配置されても良い。
【０１６０】
図９は、本実施形態による音響発生アクチュエータ固定装置が使われた場合の音響出力特性を説明するためのものである。
【０１６１】
より具体的に、図９ａは本実施形態と対比される形態のアクチュエータ取付構成を図示し、図９ｂは図９ａの取付構造と本実施形態での音響出力特性を対比したグラフである。
【０１６２】
前述したように、表示パネルを直接振動させて音響を発生させる表示装置では、音圧を増加させるために同一特性の２つ以上の音響発生アクチュエータを隣接配置する構造を採択することができる。
【０１６３】
図９ａは、本実施形態のようなアクチュエータ固定装置無しで２つのアクチュエータ２００、２００’を単純に隣接配置する構造である。
【０１６４】
図９ｂの破線は、図９ａのように別個のアクチュエータ固定装置無しで２つのアクチュエータを隣接して個別に固定した場合であって、８００〜９００Ｈｚ帯域で音圧が急激に増加するディップ（Dip.）現象が発生する。
【０１６５】
このようなディップ現象は、個別に固定されるアクチュエータで発生する音波間の干渉及びディレイ現象などによって特定周波数で強い音圧が発生するものであって、全体的な音質の低下と認識される。
【０１６６】
一方、図９ｂの実線は本実施形態のように２つのアクチュエータを一体的に固定させるアクチュエータ固定装置１０００が使われた場合の音響出力特性であって、一定周波数で音圧が異状に増加するディップ（Dip.）現象が相当に除去されることが分かる。
【０１６７】
このように、本実施形態によるアクチュエータ固定装置１０００を使用すれば、全周波数帯域で均一な音圧を発生させて優れる音響出力特性が実現できるようになる。
【０１６８】
図１０は、本実施形態によるアクチュエータ固定装置のリブ部が使われた場合の効果を示すグラフである。
【０１６９】
図１０ａに示すように、本実施形態によるアクチュエータ固定装置１０００は、前述したように、２つの第１縦方向リブ部１４１０、２つの第２縦方向リブ部１４２０、横方向リブ部１４３０、斜線リブ部１４４０のうち、１つ以上を含む補強リブ部１４００を含む。
【０１７０】
図１０ｂは本実施形態による補強リブ部無しで、単純に２つのアクチュエータを固定する第１支持部と第２支持部だけで構成されたアクチュエータ固定装置が使われた場合の音響出力特性を図示するものである。図１０ｂの破線は最初の音響出力特性を示し、実線は２４０時間以上動作した以後の音響出力特性を図示する。
【０１７１】
図１０ｂのように、本実施形態による補強リブ部が使われない場合には、動作時間が経過するほど音響出力特性が変化することが分かり、これは長時間のアクチュエータ振動によってアクチュエータ固定装置が変形されることに起因することと予測される。
【０１７２】
一方、図１０ｃは本実施形態による補強リブ部を含むアクチュエータ固定装置が使われた場合であって、２４０時間以上の動作時間が経過しても（図１０ｃの実線）、最初の音響出力特性（図１０ｃの破線）をほとんどそのまま維持することが分かる。
【０１７３】
このように、本実施形態によるアクチュエータ固定装置１０００では、縦方向、横方向、及び斜線方向に延びる複数のリブ部を含む補強リブ部が形成されることによって、２つのアクチュエータが長時間強い振動をしてもアクチュエータは剛性を維持し、２つのアクチュエータと表示パネルとの間の相対的な位置の変化を最小化することができ、結果的に長時間動作に従う音響特性変化を最小化することができる効果を有する。
【０１７４】
図１１は、本実施形態によるアクチュエータ固定装置で、両アクチュエータの間の隔離距離（ｄ）に応じた音響出力特性を示すグラフである。
【０１７５】
図５で説明したように、第１アクチュエータ２００と第２アクチュエータ２００’の大きさ（直径）がＤの時、第１支持部１１２０と第２支持部１２２０との間の最小距離である隔離距離ｄは、補強リブ部の形成のための最小しきい値である約７ｍｍよりは大きく、アクチュエータの大きさＤよりは小さくなければならず、図１１はその理由を説明するためのものである。
【０１７６】
図１１に示すように、第１支持部１１２０と第２支持部１２２０との間の最小距離である隔離距離ｄが約７ｍｍの場合、全周波数帯域で均一な音圧を有する優れる音響出力特性を示し（図１１の破線）、隔離距離ｄが増加するほど音響出力特性が変化するが、隔離距離ｄがアクチュエータの大きさ（Ｄ）である約２８ｍｍより多少小さな約０．８５Ｄ（約２３，６ｍｍ）の場合には、その音質特性の変化が大きくないことが分かる（図１１の実線）。
【０１７７】
一方、第１支持部１１２０と第２支持部１２２０との間の最小距離である隔離距離ｄがアクチュエータの大きさＤ（＝２８ｍｍ）より大きくなって約３０ｍｍ（約１．１．Ｄ）になれば、特定周波数で音圧が増加するディップ現象が発生し始めることが分かる（図１１の一点鎖線）。
【０１７８】
したがって、本実施形態では、アクチュエータ固定装置１０００の第１支持部１１２０と第２支持部１２２０との間の隔離距離（ｄ）がアクチュエータの大きさ（Ｄ）より小さくすることによって、優れる音響出力特性を維持するようにする。
【０１７９】
以上のように、本実施形態によれば、パネル振動型音響発生装置を含む表示装置を構成するに当たって、表示装置の支持構造に形成された支持孔に２つの音響発生アクチュエータを隣接するように挿入させて固定させる固定構造であるアクチュエータ固定装置を提供することによって、高い音圧で優れる音響を発生させながらも表示装置の厚さを減少させることができる。
【０１８０】
また、２つの音響発生アクチュエータを隣接するように支持するアクチュエータ固定装置を提供し、かつ各アクチュエータ支持部の間に複数のリブ部を含む補強リブ部を形成することによって、長時間の動作時にもアクチュエータ支持構造の強度が維持できる。
【０１８１】
また、２つの音響発生アクチュエータを隣接するように支持するアクチュエータ固定装置で、２つのアクチュエータ支持部の間の最小距離である離隔距離（ｄ）を各アクチュエータの大きさに関連して一定の範囲に制限することによって、全周波数帯域での音響特性を維持しながらも音圧を増加させることができる。
【０１８２】
以上の説明及び添付の図面は本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は本発明の技術思想を限定するためのものでなく、説明するためのものであり、このような実施形態によって本発明の技術思想の範囲が限定されるものではない。本発明の保護範囲は請求範囲により解釈されなければならず、それと同等な範囲内にある全ての技術思想は本発明の権利範囲に含まれるものと解釈されるべきである。
【符号の説明】
【０１８３】
１００    表示パネル
２００、２００’    第１及び第２音響発生アクチュエータ
３００    カバーボトム
４００    バッフル部
５００    ミドルキャビネット
１０００    アクチュエータ固定装置
１１２０、１２２０    第１及び第２支持部
１３１０〜１３４０    取付孔
１４００    補強リブ部
１４１０    第１縦方向リブ部
１４２０    第２縦方向リブ部
１４３０    横方向リブ部
３３０    ペムナット
３２０    固定ボルト
【図１】
2018110369.tif 000003
【図２ａ】
2018110369.tif 000004
【図２ｂ】
2018110369.tif 000005
【図３】
2018110369.tif 000006
【図４ａ】
2018110369.tif 000007
【図４ｂ】
2018110369.tif 000008
【図４ｃ】
2018110369.tif 000009
【図５】
2018110369.tif 000010
【図６】
2018110369.tif 000011
【図７ａ】
2018110369.tif 000012
【図７ｂ】
2018110369.tif 000013
【図８】
2018110369.tif 000014
【図９ａ】
2018110369.tif 000015
【図９ｂ】
2018110369.tif 000016
【図１０ａ】
2018110369.tif 000017
【図１０ｂ】
2018110369.tif 000018
【図１０ｃ】
2018110369.tif 000019
【図１１】
2018110369.tif 000020